(57)【特許請求の範囲】
【請求項１】
ボタンの上方部に液晶板を配設して文字や絵等の情報を表示可能とした表示装置において、前記ボタンの上面に折曲可能なフィルム状の液晶表示部材を配設するとともに、該液晶表示部材の外側の端部を前記ボタンの対向する側面に沿って折曲し、さらに、前記ボタンの内側に折曲して該ボタン内に配設されたプリント基板に接続したことを特徴とした液晶表示装置。
【請求項２】
前記液晶表示部材を略角箱状に折曲したことを特徴とした請求項１記載の液晶表示装置。
【請求項３】
前記液晶表示装置を角形状に形成するとともに該角形状の液晶表示装置を複数個配設し、前記液晶表示装置の上面を連続的で一体的な大きな表示面としたことを特徴とする請求項１記載の液晶表示装置。
【請求項４】
ボタンの上方部に有機エレクトロ・ルミネッセンスを配設して文字や絵等の情報を表示可能とした表示装置において、前記ボタンの上面に折曲可能なフィルム状の有機エレクトロ・ルミネッセンスを配設するとともに、該有機エレクトロ・ルミネッセンスの外側の端部を前記ボタンの対向する側面に沿って折曲し、さらに、前記ボタンの内側に折曲して該ボタン内に配設されたプリント基板に接続したことを特徴とする有機エレクトロ・ルミネッセンス表示装置。
【発明の詳細な説明】
【０００１】
【発明の属する技術分野】
本発明は、ボタンの上方部に液晶表示部材または有機エレクトロ・ルミネッセンスを配設して文字や絵等の情報を表示可能とした液晶表示装置および有機エレクトロ・ルミネッセンス表示装置に係り、特にボタンの上方部全体を表示可能とするとともにこの液晶表示装置または有機エレクトロ・ルミネッセンス表示装置を複数個配設することにより、連続的で一体的な大きな表示面を可能にした液晶表示装置および有機エレクトロ・ルミネッセンス表示装置に関する。
【０００２】
【従来の技術】
従来、この種の液晶表示装置としては図７に示すように、ボタン１の上面の外側面より縁部３を設けて液晶表示部２が形成されている。このボタン１の縁部３内には、一般的な液晶表示部材２がガラスで形成されているため、液晶表示部材２の周囲端面に電極が形成されるとともに、この電極と液晶表示部材２を駆動するためのＩＣチップを電気的に接続するための接続部材が配設されている。
【０００３】
【発明が解決しようとする課題】
上記のように構成された液晶表示装置は、液晶表示部材２の周囲端面の電極形成とＩＣチップとの接続部材配設により、ボタンの縁部が必要不可欠であることから、液晶表示面積が小さく限定されてしまうという欠点があった。
また、機器の軽薄短小化に伴い、液晶表示装置についても小形化とともに文字や絵が大きく表示できるものが望まれていた。
本発明は、上記問題点を解決し、構造が簡単で組立の容易な液晶表示装置および有機エレクトロ・ルミネッセンス表示装置を提供することを目的とする。
【０００４】
【課題を解決するための手段】
本発明は、上記目的を達成するために、ボタンの上方部に液晶板を配設して文字や絵等の情報を表示可能とした表示装置において、このボタンの上面に折曲可能なフィルム状の液晶表示部材または有機エレクトロ・ルミネッセンスを配設するとともに、この液晶表示部材および有機エレクトロ・ルミネッセンスの外側の端部をボタンの対向する側面に沿って折曲し、さらに、ボタンの内側に折曲してボタン内に配設されたプリント基板に接続したものである。
【０００５】
【発明の実施の形態】
本発明によれば、角形のボタンの上方部に液晶板を配設して文字や絵等の情報を表示可能とした液晶表示装置であって、この角形のボタンに折曲可能なフィルム状の液晶表示部材を配設する。そして、この液晶表示部材の外側の端部を角形のボタンの側面に沿って折曲し、更にボタンの内側に折曲して角形のボタン内に配備されたＩＣチップを搭載したプリント基板に接続したものであり、角形ボタンの上面に縁部を設けず、全面を表示面とすることができる。また、このような構成から、この液晶表示装置を複数個並べて配設することにより、連続的で一体的な大きな表示面を可能にした液晶表示装置が提供できる。また、角形のボタンの上方部に有機エレクトロ・ルミネッセンスを配設して文字や絵等の情報を表示可能とした有機エレクトロ・ルミネッセンス表示装置であって、この角形のボタンに折曲可能なフィルム状の有機エレクトロ・ルミネッセンスを配設する。そして、この有機エレクトロ・ルミネッセンスの外側の端部を角形のボタンの側面に沿って折曲し、更にボタンの内側に折曲して角形のボタン内に配備されたＩＣチップを搭載したプリント基板に接続したものであり、角形ボタンの上面に縁部を設けず、全面を表示面とすることができる。
【０００６】
【実施例】
以下、本発明の実施例について、図面を参照しながら詳細に説明する。
図１は本発明の要部断面図、図２は本発明の分解斜視図、図３は本発明の表示部を示す斜視図である。
【０００７】
これらの図においては、本発明の液晶表示装置を押ボタンスイッチに使用した実施例である。
１０はスイッチ本体であり、このスイッチ本体の中央部には作動軸１１が装着され、左側には凹所１２が形成されて、その下方に端子付きコネクタ１３が設けられる。そのコネクタ１３には後述するフレキシブルプリント配線板１５の一端部の回路パターン１６が接続される。
【０００８】
フレキシブルプリント配線板１５は、作動軸１１が貫通する貫通孔１７とプリント基板２２の下面に搭載したＩＣチップ２４が貫通する貫通孔１８が形成され、その一端部には回路パターン１６が設けられる。作動軸１１の上端にはプランジャ１９が位置し、そのプランジャ１９には矩形孔２１が形成されており、上記フレキシブルプリント配線板１５がこの矩形孔２１を通過して後述するＩＣチップ２４を搭載したプリント基板２２に接続固定される。プリント基板２２には、下面にＩＣチップ２４を搭載するとともに上面に複数個の発光体２３が配設される。
【０００９】
したがって、コネクタ１３に一端を接続したフレキシブルプリント配線板１５は、作動軸１１を貫通しプランジャ１９に設けた矩形孔２１を通って折り曲げられ、ＩＣチップ２４を貫通してプリント基板２２の下面に接続固定される。
プリント基板２２上には下方に凹所１２を形成した角形の拡散部材２５が配設され、拡散部材２５の凹所２６内にプリント基板２２に設けた発光体２３が位置される。
【００１０】
この拡散部材２５の上面には折曲可能なフィルム状の液晶表示部材２８が配設され、拡散部材２５の外側面に沿ってフィルム状の液晶表示部材２８が折曲されて配設される。液晶表示部材２８の上面から電気的に接続されている電極が拡散部材２５の側面に位置する液晶表示部材２８に形成されており、その端面が更に折曲されてプリント基板２２の裏面の回路パターン１６に接続固定される。
そして、スイッチ本体１０内にはスイッチ機構部が配備されており、このスイッチ機構部を駆動する作動軸１１を突出している。プランジャ１９の下方に突出した軸と作動軸１１とは、操作力伝達可能に連結されている。
また、ボタン２７を構成する液晶表示部材２８の全体を透明部材で覆ってもよく、ボタン２７部の防滴構造とすることが出来る。
【００１１】
以上のような構成から、コネクタ１３の端子からフレキシブルプリント配線板１５を介して、プリント基板２２へ電力が供給され、更にＩＣチップ２４、発光体２３を介して液晶表示部材２８へ電力が供給される。そして、多色の発光体２３および液晶表示部材２８の表示制御は、ＩＣチップ２４によって行われ、各種文字表示および各種色調の変化を行わせることができる。
【００１２】
図３は本発明の表示部を示す斜視図であり、角形のボタン２７の上面にカタカナおよびひらがなを２列に表示した実施例であり、ボタン２７の上面全体を表示させることができる。
【００１３】
図４は本発明の使用例を示す斜視図であり、本発明の液晶表示装置を押ボタンスイッチに適用して２列４個を並べたものである。このような構成から連続的で一体的な大きな表示面を可能にした液晶表示装置が提供できるものである。また、この液晶表示装置を複数個任意に並べて配設することにより、種々の用途に使用できる。
【００１４】
図５は本発明の他の表示部を示す斜視図であり、上記の構成の液晶表示装置の上面にレンズ３３を配設したものであり、上面の文字や絵等を更に拡大させることができるものである。また、ボタンを透明部材で覆う構成としても良い。
図６は本発明の他の表示装置を示す要部断面図であり、４０はスイッチ本体で、このスイッチ本体４０の中央部には作動軸４１が装着され、左側には凹所４２が形成されて、その下方に端子付きコネクタ４３が設けられる。そのコネクタ４３には後述するフレキシブルプリント配線板４５の一端部の回路パターン４６が接続される。
【００１５】
フレキシブルプリント配線板４５は、作動軸４１が貫通する貫通孔４７とプリント基板５２の下面に搭載したＩＣチップ５４が貫通する貫通孔４８が形成され、その一端部には回路パターン４６が設けられる。作動軸４１の上端にはプランジャ４９が位置し、そのプランジャ４９には矩形孔５１が形成されており、上記フレキシブルプリント配線板４５がこの矩形孔５１を通過して下面にＩＣチップ５４を搭載したプリント基板５２に接続固定される。
【００１６】
したがって、コネクタ４３に一端を接続したフレキシブルプリント配線板４５は、作動軸４１を貫通しプランジャ４９に設けた矩形孔５１を通って折り曲げられ、ＩＣチップ５４を貫通してプリント基板５２の下面に接続固定される。
【００１７】
プリント基板５２上には折曲可能なフィルム状の有機エレクトロ・ルミネッセンス５８が配設され、プリント基板５２の外側面に沿ってフィルム状の有機エレクトロ・ルミネッセンス５８が折曲されて配設される。
有機エレクトロ・ルミネッセンス５８の上面から電気的に接続されている電極が、プリント基板５２の側面に位置する有機エレクトロ・ルミネッセンス５８に形成されており、その端面が更に折曲されてプリント基板５２の裏面の回路パターン４６に接続固定される。
そして、スイッチ本体４０内にはスイッチ機構部が配備されており、このスイッチ機構部を駆動する作動軸４１を突出している。プランジャ４９の下方に突出した軸５０と作動軸４１とは、操作力伝達可能に連結されている。
【００１８】
以上のような構成から、コネクタ４３の端子からフレキシブルプリント配線板４５を介して、プリント基板５２へ電力が供給され、更にＩＣチップ５４を介して有機エレクトロ・ルミネッセンス５８へ電力が供給される。そして、この有機エレクトロ・ルミネッセンス５８の表示制御や多色の発光制御は、ＩＣチップ５４によって行われ、各種の文字表示および各種の色調の変化を行わせることができる。この有機エレクトロ・ルミネッセンスを用いることにより、バックライト用の発光体を削減できることからボタン５７の高さを極めて低くできるとともに構造が簡単で電気的接続が少なくなることから、故障の少ない均一で視認性の極めて良い有機エレクトロ・ルミネッセンス表示装置が得られる。
【００１９】
上記においては、本発明の液晶表示装置および有機エレクトロ・ルミネッセンス表示装置を押ボタンスイッチに使用した実施例を示したが、各種機器に使用されている液晶表示機または有機エレクトロ・ルミネッセンス表示機にも使用でき、任意の数量を縦、横自由自在に組合せて、用途に応じた種々の大きさの液晶表示装置および有機エレクトロ・ルミネッセンス表示装置として用いることができる。
本発明は上記実施例に限定されるものではなく、本発明の趣旨に基づき種々の変形が可能であり、それらを本発明の範囲から排除するものではない。
【００２０】
【発明の効果】
以上、詳細に説明したように、本発明によれば、次のような効果を奏することができる。
（１）ボタンの上方部に液晶板を配設して文字や絵等の情報を表示可能とした表示装置において、ボタンの上面に折曲可能なフィルム状の液晶表示部材を配設するとともに、この液晶表示部材の外側の端部に設けた配線電極部をボタンの対向する側面に沿って折曲し、さらに、ボタンの内側に折曲してボタンに配設されたプリント基板に接続したので、ボタンの上面全体の有効活用が可能となり、大きな文字や絵等を表示できるため、極めて視認性の良い液晶表示装置を提供することができる。
（２）ボタンの上方部に折曲可能なフィルム状の液晶表示部材を配設するとともに、この液晶表示部材の外側の端部に設けた配線電極部をボタンの対向する側面に沿って折曲し、さらに、ボタンの内側に折曲してボタンに配設されたプリント基板に接続したので、ボタンの上面全体を表示面とすることができ、したがって、機器の軽薄短小化に応じた小形の液晶表示装置を提供できる。
（３）液晶表示部材を略角箱状に折曲してボタンの上方側面まで覆うことができるため、縦、横任意の方向に並べて配設して使用することができ、連続取り付けして使用する場合においても、一体的な表示が可能である。
（４）表示面を阻害する電極を液晶表示部材の角形に折曲した側面の下方に設けたので、より表示面を大きく出来るとともにプリント基板への接続が容易に行える。
（５）液晶表示装置を角形状に形成するとともに、この角形状の液晶表示装置を複数個配設可能としたので、液晶表示装置の上面を連続的で一体的な大きな表示面として使用できる。
（６）液晶表示装置を角形状に形成するとともに、この角形状の液晶表示装置を複数個配設可能としたので、縦、横自由に任意の数量を組合せることができ、機器のデザインや用途に応じた使用が、極めて容易にできる。
（７）表示部材を折曲可能なフィルム状の有機エレクトロ・ルミネッセンスとしたので、バックライト用の発光体を削減できることからボタンの高さを極めて低くできるとともに構造が簡単で電気的接続が少なくなることから、故障の少ない均一で視認性の極めて良い有機エレクトロ・ルミネッセンス表示装置を提供できる。
【図面の簡単な説明】
【図１】  本発明の要部断面図である。
【図２】  本発明の分解斜視図である。
【図３】  本発明の表示部を示す斜視図である。
【図４】  本発明の使用例を示す斜視図である。
【図５】  本発明の他の表示部を示す斜視図である。
【図６】  本発明の他の表示装置を示す要部断面図である。
【図７】  従来の表示部を示す斜視図である。
【符号の説明】
１０、４０  スイッチ本体
１１、４１  作動軸
１２、４２  凹所
１３、４３  コネクタ
１４、４４  コネクタ端子
１５、４５  フレキシブルプリント配線板
１６、４６  回路パターン
１７、１８、４７、４８  貫通孔
１９、４９  プランジャ
２０、５０  軸
２１、５１  矩形孔
２２、５２  プリント基板
２３  発光体
２４、５４  ＩＣチップ
２５  拡散部材
２６  凹所
２７、３１、５７  ボタン
２８、３２  液晶表示部材
３３  レンズ
５８  有機エレクトロ・ルミネッセンス
【図１】
0004753225.tif 000002
【図２】
0004753225.tif 000003
【図３】
0004753225.tif 000004
【図４】
0004753225.tif 000005
【図５】
0004753225.tif 000006
【図６】
0004753225.tif 000007
【図７】
0004753225.tif 000008